(57)【特許請求の範囲】
【請求項１】
表示装置の背面を覆うリアキャビネットと、
該リアキャビネットの側方からプラグを挿入可能に設けた複数のジャックからなるジャック群と、
該ジャック群を囲むジャックホルダとを備えた表示装置において、
前記ジャックホルダに、前記リアキャビネットと嵌合する嵌合部を形成し、
前記嵌合部は、前記ジャックホルダの外周の少なくとも一部に形成された対向する第１及び第２のリブであり、
前記リアキャビネット外側に位置する第１のリブが内側に位置する第２のリブより高く、
第１及び第２のリブの間に前記リアキャビネットの端部を嵌合したことを特徴とする表示装置。
【請求項２】
第１及び第２のリブの間の溝側の面を傾斜させ、該溝の底面にかけて狭まるようにしたことを特徴とする請求項１記載の表示装置。
【請求項３】
前記第１及び第２のリブは、対向するジグザグ形状又は波形であることを特徴とする請求項１又は２記載の表示装置。
【請求項４】
前記ジャックホルダは、底面部と側面部とからなり略Ｌ字型断面を有する部材であり、
前記側面部は、前記ジャックを貫通させる複数のジャック穴と、前記嵌合部とを有することを特徴とする請求項１〜３の何れかに記載の表示装置。
【請求項５】
前記嵌合部は、前記側面部が前記リアキャビネットと合わさる外周部分全てに亘って形成されていることを特徴とする請求項４記載の表示装置。
【請求項６】
前記底面部は、前記リアキャビネットの内側に合わさる第３のリブを有することを特徴とする請求項４又は５記載の表示装置。
【請求項７】
前記ジャックホルダは、前記ジャックが取り付けられている基板にビス止めされていることを特徴とする請求項１〜６の何れかに記載の表示装置。
【発明の詳細な説明】
【技術分野】
【０００１】
本発明は、表示装置に関し、詳細にはリアキャビネットにジャックを有する表示装置に関する。
【背景技術】
【０００２】
テレビやパソコンのディスプレイなどの表示装置には、ＤＶＤ装置等の外部機器に接続するための各種ジャックが設けられている。通常、ジャックは表示装置の背面に設けられており、その配置は様々である。以下、従来の液晶テレビを例に説明する。
【０００３】
図６は、液晶テレビの背面斜視図である。液晶テレビ１００の背面は樹脂製のリアキャビネット１０１で覆われている。液晶テレビ１００の背面側には複数のジャックがまとめて設けられており、第１のジャック群１０２、第２のジャック群１０３、第３のジャック群１０４がある。
【０００４】
ここで、第１及び第２のジャック群１０２、１０３は、第３のジャック群１０４とプラグを挿す方向が異なっており、液晶テレビ１００の側方からプラグを挿すようになっている。そのため、リアキャビネット１０１を組み付ける際に、第３のジャック群１０４のように、リアキャビネット１０１に設けられた貫通穴から直接ジャックを出すことが困難である。したがって、第１及び第２のジャック群１０２、１０３はそれぞれ第１及び第２のジャックホルダ１０５、１０６で囲まれている。
【０００５】
図７は、リアキャビネット１０１及びスタンドを外した状態の液晶テレビ１００の背面斜視図である。第１及び第２のジャックホルダ１０５、１０６はリアキャビネット１０１と同じ樹脂製であり、それぞれジャックが取り付けられている基板にビス止めされることにより固定されている。第１及び第２のジャックホルダ１０５、１０６は、大きさと挿入されるジャックの数が異なるだけでその他の形状は同様であるので、第１のジャックホルダ１０５を例に詳しく説明する。
【０００６】
図８は、第１のジャックホルダ１０５の斜視図、図９は、第１のジャックホルダ１０５の側面図である。第１のジャックホルダ１０５は、底面部１０５ａと側面部１０５ｂとからなる略Ｌ字型の部材である。側面部１０５ｂには、ジャックを貫通させる複数のジャック穴１０５ｃと、基板へビス止めするためのビスを通すビス穴１０５ｄとが形成されている。
【０００７】
また、側面部１０５ｂの外周には段差になったリブ１０５ｅがコ字型に形成され、リブ１０５ｅと繋がるように、底面部１０５ａの外周にはリブ１０５ｆがコ字型に形成されている。
【０００８】
そして、第１のジャックホルダ１０５が基板へビス止めされた状態でリアキャビネット１０１が被せられる。リアキャビネット１０１には第１のジャックホルダ１０５の形状に合わせた開口部が形成されている。
【０００９】
図１０に、リアキャビネット１０１を被せた状態の第１のジャックホルダ１０５の断面図を示す。第１のジャックホルダ１０５がリアキャビネット１０１によって押さえられている。具体的には、リアキャビネット１０１の開口部の端部が第１のジャックホルダ１０５のリブ１０５ｅ、１０５ｆによって形成される段差部分に合わさっている。
【００１０】
この構成により、液晶テレビ１００の背面を見てもリアキャビネット１０１と第１のジャックホルダ１０５とが合わさっているので見栄えがよい。
【００１１】
また例えば特許文献１には、背面筐体の下側に設けた段差凹部の下向きの壁面に配置した複数の入出力端子類と接続して引き出されるコード類を覆う横長で撓みやすいカバー部材と、背面筐体とを係止する係止爪部が後退して外れることを防止するために、背面筐体側に係止爪部が後退することを抑制する抑制用壁を設けた液晶型テレビが開示されている。このように特許文献１は、着脱が容易で外力では外れ難いカバー部材の係止手段を実現することで、美観に優れた液晶型テレビを提供している。
【特許文献１】特開２００６−６７３８０号公報
【発明の開示】
【発明が解決しようとする課題】
【００１２】
しかしながら、図６に示した液晶テレビ１００においては、主に輸送時の振動により、リアキャビネット１０１が撓んだりしてリアキャビネット１０１と第１のジャックホルダ１０５とが合わさっている部分が摩耗し、粉吹きが発生する。これは製品の動作には問題ないが、装置外部に吹き出してくるので見栄えが悪い。
【００１３】
また、液晶テレビ１００の使用時にスピーカの振動により、リアキャビネット１０１と第１のジャックホルダ１０５とが合わさっている部分でビビリ音が発生することもある。これも製品の動作には問題ないが、その音が大きければユーザに不快感を与える。
【００１４】
また、特許文献１でも、振動対策は施されておらず、背面筐体とカバー部材との間で、上記の粉吹きやビビリ音が発生するおそれがある。
【００１５】
本発明は、リアキャビネットとジャックホルダとの間で発生する粉吹きやビビリ音の発生を抑え快適に使用することができる表示装置を提供することを目的とする。
【課題を解決するための手段】
【００１６】
上記目的を達成するために本発明は、表示装置の背面を覆うリアキャビネットと、該リアキャビネットの側方からプラグを挿入可能に設けた複数のジャックからなるジャック群と、該ジャック群を囲むジャックホルダとを備えた表示装置において、前記ジャックホルダに、前記リアキャビネットと嵌合する嵌合部を形成したことを特徴とする。
【００１７】
この構成によると、リアキャビネットとジャックホルダとが嵌合しており、リアキャビネットが撓んでも嵌合部に隙間はほとんどできない。
【００１８】
上記の表示装置において、具体的に前記嵌合部は、前記ジャックホルダの外周の少なくとも一部に形成された対向する第１及び第２のリブであり、第１及び第２のリブの間に前記リアキャビネットの端部を嵌合する構成とすることが望ましい。第１及び第２のリブは金型の変更により形成可能であり、リアキャビネットを組み付ける際にも容易に嵌合させることができる。
【００１９】
また上記の表示装置において、前記第１及び第２のリブは、互いに平行な直線形状であることが望ましい。最も簡単な構造であるため樹脂成形による寸法誤差が多少あっても組み付けに支障はなく、嵌合させる作業も容易であるからである。
【００２０】
また上記の表示装置において、具体的に前記ジャックホルダは、底面部と側面部とからなり略Ｌ字型断面を有する部材であり、前記側面部は、前記ジャックを貫通させる複数のジャック穴と、前記嵌合部とを有する構成とすることができる。
【００２１】
また上記の表示装置において、前記嵌合部は、前記側面部が前記リアキャビネットと合わさる外周部分全てに亘って形成されていることが望ましい。嵌合部分の強度が上がるとともに、粉吹きが生じた場合でも装置外部に吹き出してくる余地がないからである。
【００２２】
また上記の表示装置において、前記底面部は、前記リアキャビネットの内側に合わさる第３のリブを有することが望ましい。表示装置の背面を見てもリアキャビネットと底面部との間に隙間が見えないので見栄えがよいからである。
【００２３】
また上記の表示装置において、前記ジャックホルダは、前記ジャックが取り付けられている基板にビス止めされていることが望ましい。ジャックホルダを確実に固定するためである。
【発明の効果】
【００２４】
本発明の表示装置によれば、リアキャビネットとジャックホルダとが嵌合しているので、振動によってリアキャビネットとジャックホルダとの間で発生する粉吹きやビビリ音の発生を抑え快適に使用することができる。
【発明を実施するための最良の形態】
【００２５】
以下、本発明の表示装置として液晶テレビを例に説明する。図１は、液晶テレビの前面斜視図であり、図２は、液晶テレビの背面斜視図である。
【００２６】
液晶テレビ１０の外観は主に、映像を表示する液晶パネル１１と、液晶パネル１１の前面側の縁を覆う額縁状のフロントキャビネット１２と、液晶テレビ１０の背面側を覆うリアキャビネット１３と、液晶テレビ１０を直立可能に支持するスタンド１４とから構成されている。フロントキャビネット１２及びリアキャビネット１３は樹脂製であり、互いにビス止めされている。スタンド１４は、内部の金属製の支持基体が樹脂製のカバーで覆われて構成されている。
【００２７】
また、液晶テレビ１０の背面側には複数のジャックが設けられている。ジャックの種類としては、例えば、コンポジット端子やＳ端子やコンポーネント端子やＤ端子やＨＤＭＩ端子やＰＣ入力端子やＵＳＢ端子やアンテナ端子などを接続するジャックが挙げられる。本液晶テレビ１０では、これらのジャックは３箇所に分けて設けられており、それぞれ第１のジャック群１５、第２のジャック群１６、第３のジャック群１７と呼ぶことにする。
【００２８】
第１及び第２のジャック群１５、１６は、液晶テレビ１０の側方からプラグを挿すようになっており、第３のジャック群１７は、液晶テレビの背面方向からプラグを挿すようになっている。ここで側方とは、液晶テレビの上下左右方向を含む３６０°のどの方向であってもよい。
【００２９】
第３のジャック群１７は、リアキャビネット１３に設けられた貫通穴からそれぞれのジャックが突出している。一方、第１及び第２のジャック群１５、１６は、リアキャビネット１３を被せるように組み付ける構成上、リアキャビネット１３に直接形成された穴から出すことが困難である。したがって、第１及び第２のジャック群１５、１６は、それぞれリアキャビネット１３とは別体の第１及び第２のジャックホルダ１８、１９で囲まれている。
【００３０】
リアキャビネット１３とスタンド１４とを外した状態の液晶テレビ１０は、図７において従来の第１及び第２のジャックホルダ１０５、１０６を本発明の第１及び第２のジャックホルダ１８、１９に置き換えただけであるので、図示を省略する。
【００３１】
第１及び第２のジャックホルダ１８、１９はリアキャビネット１３と同じ樹脂製であり、それぞれジャックが取り付けられている基板にビス止めされることにより固定されている。第１及び第２のジャックホルダ１８、１９は、大きさと挿入されるジャックの数が異なるだけでその他の形状は同様であるので、以下では第１のジャックホルダ１８を例に詳しく説明する。
【００３２】
図３は、第１のジャックホルダ１８の斜視図、図４は、第１のジャックホルダ１８の側面図である。第１のジャックホルダ１８は、底面部１８ａと側面部１８ｂとからなる略Ｌ字型断面を有する部材である。側面部１８ｂには、ジャックを貫通させる複数のジャック穴１８ｃと、基板へビス止めするためのビスを通すビス穴１８ｄとが形成されている。
【００３３】
また、側面部１８ｂの外周には互いに対向する平行な直線形状の第１及び第２のリブ１８ｅ、１８ｆがコ字型に配設されている。そして第１及び第２のリブ１８ｅ、１８ｆの間にリアキャビネット１３の端部を嵌合するようになっているため、第１及び第２のリブ１８ｅ、１８ｆを合わせて嵌合部と称する。
【００３４】
第１及び第２のリブ１８ｅ、１８ｆは金型の変更により形成可能であり、リアキャビネット１３を組み付ける際にも容易に嵌合させることができる。また、第１のリブ１８ｅと繋がるように、底面部１８ａの外周には第３のリブ１８ｇがコ字型に形成されている。
【００３５】
そして、第１のジャックホルダ１８が基板へビス止めされた状態でリアキャビネット１３が被せられる。リアキャビネット１３には第１のジャックホルダ１８の形状に合わせた開口部が形成されている。
【００３６】
図５に、リアキャビネット１３を被せた状態の第１のジャックホルダ１８の断面図を示す。第１のジャックホルダ１８がリアキャビネット１３によって固定されている。具体的には、リアキャビネット１３の開口部の端部が第１のジャックホルダ１８の嵌合部（第１及び第２のリブ１８ｅ、１８ｆ）によって形成される溝１８ｈに嵌合している。リアキャビネット１３の開口部の端部は溝１８ｈの幅と同じか若干薄い平板状となっている。
【００３７】
この構成によれば、液晶テレビ１０の背面を見てもリアキャビネット１３と第１のジャックホルダ１８とが合わさっているので見栄えがよい。また、リアキャビネット１３と第１のジャックホルダ１８とが嵌合部で嵌合しており動きにくいので、主に輸送時の振動により摩耗しにくく、粉吹きも発生しにくい。もし粉吹きが発生したとしても、溝１８ｈに溜まるので、装置外部に吹き出すことがなく見栄えがよい。
【００３８】
さらに、液晶テレビ１０の使用時にスピーカの振動により、リアキャビネット１０１と第１のジャックホルダ１０５とに振動が伝わったとしても、リアキャビネット１３と第１のジャックホルダ１８とが嵌合しており隙間がほとんどないのでビビリ音が発生することがない。したがって、ユーザに不快感を与えることもない。
【００３９】
なお、上記実施形態では第１及び第２のリブ１８ｅ、１８ｆは、上記では互いに対向する平行な直線形状としたが、対向していればその形状には特に限定はなく、ジグザグ形状であったり、波形であったりしてもよい。
【００４０】
また、上記実施形態では溝１８ｈは、断面をコ字型としたが、溝１８ｈの壁面となる第１及び第２のリブ１８ｅ、１８ｆの溝１８ｈ側の面を傾斜させ、溝１８ｈの底面にかけて狭まるようにしてもよい。この場合、溝１８ｈの形状に合わせて、嵌合先のリアキャビネット１３の開口部の端部も傾斜させる。この構成によれば、組み立て時に嵌合させ易くなる。
【００４１】
また、上記実施形態では第１及び第２のリブ１８ｅ、１８ｆがコ字型に配設されているものとしたが、このように第１のジャックホルダ１８の側面部１８ｂの外周部分全てに亘って形成されている必要は必ずしもなく、第１のジャックホルダ１８の外周の少なくとも一部に形成されていればその目的を達成することができる。
【００４２】
また、上記実施形態では底面部１８ａの外周には第３のリブ１８ｇがコ字型に形成されているものとしたが、第３のリブ１８ｇは必ずしも必要ではない。但し、第３のリブ１８ｇがあれば、液晶テレビ１０の背面を見てもリアキャビネット１３と底面部１８ａとの間に隙間が見えないので見栄えがよい。
【００４３】
また、上記実施形態では第１のジャックホルダ１８は、ジャックが取り付けられている基板にビス止めされる構成としたが、ビス止め以外の手段、例えば、両面テープや接着剤による接着や、爪などの係止手段による係止によって固定してもよい。
【００４４】
また、上記実施形態では第１のジャックホルダ１８は、底面部１８ａと側面部１８ｂとからなり略Ｌ字型断面を有する部材としたが、底面部１８ａのない側面部１８ｂだけの形状でも問題はない。
【００４５】
また、上記実施形態では嵌合部として第１及び第２のリブ１８ｅ、１８ｆの２つのリブを採用したが、３つ以上のリブを採用することも可能である。その場合、リアキャビネット１３の端部は、リブによって形成される各溝に嵌合する形状とすればよい。
【００４６】
また、上記実施形態では第１のジャックホルダ１８に嵌合部（第１及び第２のリブ１８ｅ、１８ｆ）を設けたが、この嵌合部をリアキャビネット１３の端部に設け、ジャックホルダ１８の外周部分を図８に示したようなリブ１０５ｅを有する形状にしてもよい。この場合、リブ１０５ｅがリアキャビネット１３の嵌合部の溝に嵌合することになる。
【産業上の利用可能性】
【００４７】
本発明の表示装置は、テレビやパソコンのディスプレイなどに利用でき、液晶、プラズマ、ＣＲＴなど各種表示方式を採用することができる。
【図面の簡単な説明】
【００４８】
【図１】本発明の液晶テレビの前面斜視図である。
【図２】本発明の液晶テレビの背面斜視図である。
【図３】本発明の第１のジャックホルダの斜視図である。
【図４】本発明の第１のジャックホルダの側面図である。
【図５】本発明のリアキャビネットを被せた状態の第１のジャックホルダの断面図である。
【図６】従来の液晶テレビの背面斜視図である。
【図７】従来のリアキャビネット及びスタンドを外した状態の液晶テレビの背面斜視図である。
【図８】従来の第１のジャックホルダの斜視図である。
【図９】従来の第１のジャックホルダの側面図である。
【図１０】従来のリアキャビネットを被せた状態の第１のジャックホルダの断面図である。
【符号の説明】
【００４９】
１０    液晶テレビ（表示装置）
１３    リアキャビネット
１５    第１のジャック群
１６    第２のジャック群
１８    第１のジャックホルダ
１８ａ    底面部
１８ｂ    側面部
１８ｅ    第１のリブ
１８ｆ    第２のリブ
１８ｇ    第３のリブ
１９    第２のジャックホルダ
【図１】
0005200467.tif 000002
【図２】
0005200467.tif 000003
【図３】
0005200467.tif 000004
【図４】
0005200467.tif 000005
【図５】
0005200467.tif 000006
【図６】
0005200467.tif 000007
【図７】
0005200467.tif 000008
【図８】
0005200467.tif 000009
【図９】
0005200467.tif 000010
【図１０】
0005200467.tif 000011